(57)【要約】【課題】仮停止部に停止している誘導部材を、引戸の閉操作時に僅かの力でかつ円滑に停止解除可能とした戸締まり装置を提供する。【解決手段】誘導部材１１を案内するための走行案内溝１２、この走行案内溝１２の端部より上向き側に屈曲形成された縦溝仮停止部１３、引戸ランナの係合ピン１５を案内するための係合ピン案内溝１６を有するケース本体１０と、前記走行案内溝１２に係合する楕円状軸部１８を有し走行案内溝１２に沿って移動可能に設けられ、一対のフック片１１ａ、１１ｂの一方を前記係合ピン用案内溝１６内に臨ませた誘導部材１１と、この誘導部材１１を戸締まり側に付勢するバネ部材１４とからなり、引戸２の閉操作時に前記係合ピン１５がフック片１１ａを介して縦溝仮停止部１３に停止している誘導部材１１を回転させるとともに、前記楕円状軸部１８が前記走行案内溝１２と縦溝仮停止部１３との境界部上側屈曲点Ｇを支点として回転し停止状態が解除されるようにする。【選択図】図３
2004332403.tif 000002
【特許請求の範囲】
【請求項１】
バネ部材により戸締まり方向に付勢されるとともに、戸締まり位置と、該戸締まり位置から離間した仮停止位置との間で往復移動可能とされる誘導部材を備え、引戸の閉操作時に、走行レールに沿って案内される引戸用ランナに設けられた係合ピンが、前記仮停止位置に停止している前記誘導部材と係合し、この係合状態のまま前記誘導部材に作用する付勢力により引戸を戸締まり位置までアシストするようにした引戸の戸締まり装置であって、
前記戸締まり装置は、前記誘導部材を案内するために水平方向に沿って形成された走行案内溝と、この走行案内溝の戸開き側端部位置に形成された誘導部材の仮停止部と、前記係合ピンを案内するために戸開き方向側に開口を臨ませるとともに、水平方向に沿って形成された係合ピン用案内溝とが形成されたケース本体と、
前記走行案内溝に係合する略楕円形状の軸部を有し、走行案内溝に沿って往復移動可能に設けられるとともに、一対のフック片を備え、前記係合ピンと係合可能なように前記係合ピン用案内溝内に少なくとも一方側のフック片を臨ませた誘導部材と、
一端が前記ケース本体に係止されるとともに、他端が前記誘導部材に係止され、誘導部材を戸締まり方向に付勢するためのバネ部材とからなり、
前記誘導部材の仮停止部は、前記走行案内溝の戸開き側端部から連続して上向き側に屈曲形成された縦溝部とされ、引戸の開操作時には、前記係合ピンが走行案内溝の戸開き側端部において前記フック片を介して誘導部材を回転させることにより、前記略楕円状の軸部が縦向き状態となり前記誘導部材が仮停止部に位置保持され、引戸の閉操作時には、前記係合ピンが前記フック片を介して誘導部材を回転させるとともに、前記誘導部材の略楕円状軸部が前記走行案内溝と仮停止部との境界部上側屈曲点を支点として回転することにより仮停止状態が解除されるようにしたことを特徴とする引戸の戸締まり装置。
【請求項２】
前記仮停止部の縦溝部は、戸開き側壁面が円弧状に形成されている請求項１記載の引戸の戸締まり装置。
【発明の詳細な説明】
【０００１】
【発明の属する技術分野】
本発明は、バネ部材により付勢された誘導部材により引戸を戸締まり位置までアシストするようにした引戸の戸締まり装置に関する。
【０００２】
【従来の技術】
従来より、食器棚、本棚、陳列棚等の収納家具においては、走行レールに沿って移動自在に案内されるランナ（ローラ装置）により開閉される引戸が設けられることが多い。そして、この引戸を確実に閉操作するために戸締まり装置が設けられることがある。
【０００３】
前記戸締まり装置は、バネ部材により戸締まり方向に付勢されるとともに、戸締まり位置と、該戸締まり位置から離間した仮停止位置との間で往復移動可能とされる誘導部材を備え、引戸の閉操作時に、走行レールに沿って案内される引戸用ランナに設けられた係合ピンが、前記仮停止位置に停止している前記誘導部材と係合し、この係合状態のまま前記誘導部材に作用する付勢力により引戸を戸締まり位置までアシストするようにしたものである。
【０００４】
具体的に前記戸締まり装置としては、下記特許文献１において図９に示されるものが市場に提供されている。同戸締まり装置５０は、前記誘導部材５２を案内するために水平方向に沿って形成された走行案内溝５３と、この走行案内溝５３の戸開き側端部位置に略円形孔状に形成された誘導部材５２の仮停止部５４と、前記係合ピン５７を案内するために戸開き方向側に開口を臨ませるとともに、水平方向に沿って形成された係合ピン用案内溝５５とが形成されたケース本体５１と、前記走行案内溝５３に嵌合する略楕円形状の軸部５６を有し、走行案内溝５３に沿って往復移動可能に設けられるとともに、一対のフック片５２ａ，５２ｂを備え、前記係合ピン５７と係合可能なように前記係合ピン用案内溝５５内に少なくとも一方側のフック片５２ａ（５２ｂ）を臨ませた誘導部材５２と、一端が前記ケース本体５１に係止されるとともに、他端が前記誘導部材５２に係止され、誘導部材５２を戸締まり方向に付勢するためのバネ部材５８とからなる装置であり、引戸の開操作時に、前記係合ピン５７が前記走行案内溝５３の戸開き側端部において前記フック片５２ｂを介して誘導部材５２を回転させることにより、前記略楕円状軸部５６が縦向き状態となり前記誘導部材５２が仮停止部５４に位置保持され、引戸の閉操作時には、係合ピン５７が前記フック片５２ａを介して誘導部材５２を回転させ仮停止状態が解除され、誘導部材５２が走行案内溝５３にガイドされながら係合ピン５７（ランナ）と共に戸締まり位置まで引き寄せられるようになっている。また、他の戸締まり装置としては、例えば下記特許文献２に記載されるもの等を挙げることができる。
【０００５】
【特許文献１】
特開２００３−５６２４０号公報
【特許文献２】
特開２００２−３３９６４９号公報
【０００６】
【発明が解決しようとする課題】
しかしながら、前記戸締まり装置５０では、図１０に示されるように、誘導部材５２の仮停止状態を解除する際、係合ピン５７による水平力によって円形孔内で略楕円状軸部５６を回転させるようにしているが、前記係合ピン５７による作用力は前記略楕円状軸５６に対して水平力Ｈと、回転モーメントＭとを作用させる。後者の回転モーメントＭはそのまま誘導部材５２を回転させる力として作用するものの、水平力Ｈは略楕円状軸部５６が回転する際に前記円形孔５４の壁部との摩擦抵抗力を増大させるように作用するため、前記係合ピン５７が誘導部材５２と接触してから前記誘導部材５２を回転させるために引戸に対してある程度大きな力を加える必要があった。
【０００７】
そこで本発明の主たる課題は、前述した戸締まり装置において、仮停止部に停止している誘導部材を、引戸の閉操作時に僅かの力でかつ円滑に停止解除可能とした戸締まり装置を提供することにある。
【０００８】
【課題を解決するための手段】
前記課題を解決するための請求項１に係る本発明として、バネ部材により戸締まり方向に付勢されるとともに、戸締まり位置と、該戸締まり位置から離間した仮停止位置との間で往復移動可能とされる誘導部材を備え、引戸の閉操作時に、走行レールに沿って案内される引戸用ランナに設けられた係合ピンが、前記仮停止位置に停止している前記誘導部材と係合し、この係合状態のまま前記誘導部材に作用する付勢力により引戸を戸締まり位置までアシストするようにした引戸の戸締まり装置であって、
前記戸締まり装置は、前記誘導部材を案内するために水平方向に沿って形成された走行案内溝と、この走行案内溝の戸開き側端部位置に形成された誘導部材の仮停止部と、前記係合ピンを案内するために戸開き方向側に開口を臨ませるとともに、水平方向に沿って形成された係合ピン用案内溝とが形成されたケース本体と、
前記走行案内溝に係合する略楕円形状の軸部を有し、走行案内溝に沿って往復移動可能に設けられるとともに、一対のフック片を備え、前記係合ピンと係合可能なように前記係合ピン用案内溝内に少なくとも一方側のフック片を臨ませた誘導部材と、
一端が前記ケース本体に係止されるとともに、他端が前記誘導部材に係止され、誘導部材を戸締まり方向に付勢するためのバネ部材とからなり、
前記誘導部材の仮停止部は、前記走行案内溝の戸開き側端部から連続して上向き側に屈曲形成された縦溝部とされ、引戸の開操作時には、前記係合ピンが走行案内溝の戸開き側端部において前記フック片を介して誘導部材を回転させることにより、前記略楕円状の軸部が縦向き状態となり前記誘導部材が仮停止部に位置保持され、引戸の閉操作時には、前記係合ピンが前記フック片を介して誘導部材を回転させるとともに、前記誘導部材の略楕円状軸部が前記走行案内溝と仮停止部との境界部上側屈曲点を支点として回転することにより仮停止状態が解除されるようにしたことを特徴とする引戸の戸締まり装置が提供される。
【０００９】
上記請求項１記載の本発明においては、誘導部材を戸開き側位置にて停止させる仮停止部を前記走行案内溝の戸開き側端部から連続して上向き側に屈曲形成された縦溝部とし、引戸を閉操作した際、前記係合ピンが前記フック片を介して誘導部材を回転させるとともに、前記誘導部材の略楕円状軸部が前記走行案内溝と仮停止部との境界部上側屈曲点を支点として回転することにより仮停止状態が解除されるようにした。従って、略楕円状軸部が回転を開始すると、すぐさま前記略楕円状軸部が走行案内溝内に滑り込むようにしながら入り込むため、僅かの力でかつ円滑に停止状態を解除できるようになる。
【００１０】
請求項２記載に係る本発明として、前記仮停止部の縦溝部は、戸開き側壁面が円弧状に形成されている請求項１記載の引戸の戸締まり装置が提供される。引戸の開操作時に前記略楕円状軸部が前記縦向き状態まで円滑に回転するようになるとともに、引戸の閉操作時においても、前記略楕円状軸部が前記横向き状態まで円滑に回転するようになる。
【００１１】
【発明の実施の形態】
以下、本発明の実施の形態について図面を参照しながら詳述する。
図１は本発明に係る戸締まり装置を用いた収納棚１の正面図であり、図２は図１のＩＩ−ＩＩ線矢視図、図３は本発明に係る戸締まり装置８の斜視図である。
【００１２】
図１に示される引戸２は、例えば、アルミ等の金属形材からなる上框３Ａ、下框３Ｂ及び縦框３Ｃ、３Ｄによって構成されたフレーム枠３内にガラス等のパネル７が嵌め込まれたものであり、図２に示されるように、前記上框３Ａには一体的に延在するアーム片２１が設けられ、このアーム片２１の上端両側に夫々ランナ６、６が設けられている。前記ランナ６には、ローラ６Ａを支持する支軸を側方に突出させることにより係合ピン１５が設けられている。
【００１３】
一方、収納棚１は図２に示されるように、上板１Ａの正面側にブラケット状にレール受け２０が固設され、このレール受け２０に前記ランナ６を移動自在に案内する走行レール４、４が水平方向に沿って設けられているとともに、下板１Ｂの正面側に前記引戸の下框３Ｂが嵌合する下レール５が水平方向に沿って設けられており、前記走行レール４および下レール５を走行ガイドとして２枚の引戸２，２が開閉自在に設けられている。本収納棚１では、前記走行レール４の両端部にそれぞれ戸締まり装置８、８が設けられ、引戸２の閉操作時に閉位置まで近付くと、引戸２が戸締まり位置まで自動的に引寄せられるようになっている。
【００１４】
以下、前記戸締まり装置８について具体的に詳述する。
【００１５】
戸締まり装置８は、図３、図４に示されるように、ケース本体１０、このケース本体１０内に組み込まれた誘導部材１１と、同じくケース本体１０内に組み込まれたバネ部材１４とからなる装置である。
【００１６】
前記ケース本体１０は、前記誘導部材１１を案内するために水平方向（レール方向）に沿って形成された走行案内溝１２と、この走行案内溝１２の戸開き側端部位置に形成された前記誘導部材１１の仮停止部１３と、前記ランナ６の係合ピン１５を案内するために、前記走行案内溝１２の下側に隣接して設けられるとともに、戸開き方向側に開口を臨ませた状態で水平方向に沿って形成された係合ピン用案内溝１６と、上部側に開口して水平方向に沿って形成されたバネ部材収容部９とを有する部材である。特に本戸締まり装置８では、前記誘導部材１１の仮停止部１３が、前記走行案内溝１２の戸開き側端部から連続して上向き側に屈曲形成された縦溝部（以下、縦溝仮停止部１３という。）とされている。前記縦溝仮停止部１３は、図８に詳細に示されるように、後述する誘導部材１１の楕円状軸部１８が円滑に回転できるように戸開き側壁面１３ａが円弧状に形成されていることが望ましく、かつ前記楕円状軸部１８の中心部が前記走行案内溝と仮停止部との境界部上側屈曲点Ｇとほぼ同位置か、中心部が境界部上側屈曲点Ｇよりもやや下側位置となっていることが望ましい。
【００１７】
なお、前記戸締まり装置８の戸締まり側端部には、取付ネジ孔１７ａが形成されており、この取付ネジ孔１７ａに螺入された取付ネジ１７によりレール受け２０に固定されるようになっている。
【００１８】
前記誘導部材１１は、図６に示されるように、両側面部にそれぞれ略楕円形状の軸部１８、１８（以下、楕円状軸部という。）を有するとともに、Ｌ字状又はＶ字状に一対のフック片１１ａ、１１ｂを有し、かつ上部位置にバネ係止部１１ｃが形成された部材である。前記ケース本体１０に対しては、前記楕円状軸部１８を前記走行案内溝１２、１２に係合させた状態で組み込まれ、走行案内溝１２に沿って往復移動可能に設けられる。また、前記一対のフック片１１ａ、１１ｂは、前記ピン部材１５と係合可能なように前記係合ピン用案内溝１６内に少なくとも一方側のフック片１１ａ（１１ｂ）を臨ませた状態となっている。具体的には、引戸２の閉操作時に一方側フック片１１ａが前記係合ピン１５と係合（接触）し、引戸２の開操作時に他方側フック片１１ｂが前記係合ピン１５と係合（接触）するようになっている。
【００１９】
一方、前記バネ部材１４は、一端が前記バネ部材収容部９の戸締まり側位置に設けられたバネ係止ピン９ａに係止されるとともに、他端が前記誘導部材１１のバネ係止部１１ｃに係止され、前記誘導部材１１を戸締まり方向に付勢するようになっている。
【００２０】
かかる戸締まり装置８においては、図４に示されるように、引戸２の開操作時には、係合ピン１５が前記走行案内溝１２の戸開き側端部において前記フック片１１ｂを介して誘導部材１１を回転させることにより、前記楕円状軸部１８が縦向き状態となって縦溝仮停止部１３に停止保持されるようになっている。その後、引戸２を閉めると、図５に示されるように、係合ピン１５がフック片１１ａを介して誘導部材１１を回転させ、前記楕円状軸部１８が９０度回転すると走行案内溝１２へ入り込み、バネ部材１４の付勢力によって、他方側フック片１１ｂが係合ピン１５と共に引戸２を戸締まり位置までアシストするようになっている。
【００２１】
以下、引き続いて引戸２の閉操作時および開操作時における前記誘導部材１１の挙動について更に図７及び図８に基づいて説明する。
【００２２】
引戸２が開かれている状態で前記戸締まり装置８は図４に示されるように、誘導部材１１が縦溝仮停止部１３に位置保持された状態となっている。この状態から引戸２を閉めると、図７（Ａ）に示されるように、係合ピン１５が係合ピン案内溝１６の開口より入り込み、係合ピン用案内溝１６側に突出している係合部材１１の一方側フック片１１ａと接触する。そのまま引戸２を閉方向に移動させると、係合ピン１５が一方側フック片１１ａを戸締まり方向に押し出し、前記誘導部材１１を半時計回り方向に回転させて誘導部材１１の仮停止状態を解除する。この際、図８に示されるように、誘導部材１１の楕円状軸部１８は、前記走行案内溝１２と縦溝仮停止部１３との境界部上側屈曲点Ｇを支点として回転するようになっているため、前記楕円状軸部１８が回転を開始すると、すぐさま前記楕円状軸部１８が走行案内溝内１２に滑り込むようにしながら入り込むため、僅かの力でかつ円滑に停止状態を解除できるようになっている。
【００２３】
前記楕円状軸部１８がほぼ水平状態となると、図７（Ｃ）に示されるように、誘導部材１１の他方側フック片１１ｂが係合ピン１５の戸開き側位置（図面左側）に隣接する状態となり、前記誘導部材１１がバネ部材１４の付勢力により走行案内溝１２にガイドされながら戸締まり側に移動し引戸２の閉鎖をアシストする。
【００２４】
一方、閉状態から引戸２を開操作すると、係合ピン１５が他方側フック片１１ｂを戸開き方向側に移動させ、前記走行案内溝１２の戸開き側端部において他方側フック片１１ｂを介して誘導部材１１を回転させることにより、前記楕円状軸部１８が縦向き状態となり縦溝仮停止部１３に停止保持される。
【００２５】
なお、上記形態例では引戸２の上端右側に配置される戸締まり装置８について説明を行ったが、上端左側に対称配置で取り付けられた戸締まり装置８についても全く同様である。
【００２６】
（他の形態例）
（１）上記実施形態例では、収納棚１の開口に設けられる引戸２に対して本発明を適用した例について詳述したが、本発明は引戸一般に適用が可能である。
【００２７】
【発明の効果】
以上詳説のとおり本発明によれば、バネ部材により戸締まり方向に付勢されるとともに、戸締まり位置と、該戸締まり位置から離間した仮停止位置との間で往復移動可能とされる誘導部材を備え、引戸の閉操作時に、走行レールに沿って案内される引戸用ランナに設けられた係合ピンが、前記仮停止位置に停止している前記誘導部材と係合し、この係合状態のまま前記誘導部材に作用する付勢力により引戸を戸締まり位置までアシストするようにした引戸の戸締まり装置において、前記仮停止位置に停止している誘導部材を引戸の閉操作時に、僅かの力でかつ円滑に停止解除できるようになる。
【図面の簡単な説明】
【図１】本発明に係る引戸の戸締まり装置を用いた収納棚１の正面図である。
【図２】図１のＩＩ−ＩＩ線矢視図である。
【図３】本発明に係る戸締まり装置８の斜視図である。
【図４】戸締まり装置８を示す、（Ａ）は引戸２を開けた状態の戸締まり装置８の正面図、（Ｂ）はその平面図である。
【図５】引戸２の閉操作時における戸締まり装置８の正面図である。
【図６】誘導部材１１を示す、（Ａ）は正面図、（Ｂ）は側面図である。
【図７】（Ａ）〜（Ｃ）は引戸２を閉操作する際の誘導部材１１の挙動を示す段階図である。
【図８】誘導部材１１の停止状態解除時における楕円状軸部１８の回転軌跡を示す拡大図である。
【図９】従来例に係る引戸の戸締まり装置５０を示す正面図である。
【図１０】従来の戸締まり装置５０における楕円状軸部５６の回転軌跡を示す図である。
【符号の説明】
１…収納棚、２…引戸、３Ａ…上框、３Ｂ…下框、３Ｃ・３Ｄ…縦框、４…走行レール、５…下レール、６…ランナ、８…戸締まり装置、１０…ケース本体、１１…誘導部材、１１ａ・１１ｂ…フック片、１２…走行案内溝、１３…縦溝部（縦溝仮停止部）、１４…バネ部材、１５…係合ピン、１６…係合ピン案内溝、１８…楕円状軸部
【図１】
2004332403.tif 000003
【図２】
2004332403.tif 000004
【図３】
2004332403.tif 000005
【図４】
2004332403.tif 000006
【図５】
2004332403.tif 000007
【図６】
2004332403.tif 000008
【図７】
2004332403.tif 000009
【図８】
2004332403.tif 000010
【図９】
2004332403.tif 000011
【図１０】
2004332403.tif 000012